(57)【要約】【課題】ディスプレイケースの外部に導き出されたハーネスと板ばね部材との接触による異音やハーネスの損傷の発生が防止される車載用ディスプレイ装置を提供する。【解決手段】取付部材１４の支持孔４９からの円筒状回転軸２７の突出部分５３の外周面の軸方向中間部に、係合面６０を設ける一方、ディスプレイケース１２の外部に導き出されたハーネス３０と、円筒状回転軸２７の突出部分５３の係合面６０形成部よりも先端側部分とを、板ばね部材６６の自由端部の挿通部７０に挿通させた状態下で、弾性変形せしめられた板ばね部材６６の自由端部を、円筒状回転軸２７の係合面６０に係合させて、構成した。【選択図】図４
2010052631.tif 000002
【特許請求の範囲】
【請求項１】
（ａ）ディスプレイ本体と、（ｂ）該ディスプレイ本体が内部に収容されて、固定されるディスプレイケースと、（ｃ）該ディスプレイケースに対して外方に突出するように一体的に設けられた円筒体からなり、前記ディスプレイ本体から延びるハーネスが挿通されて、該ハーネスを該ディスプレイケースの外部に導き出す円筒状回転軸と、（ｄ）該円筒状回転軸が挿通されて、該円筒状回転軸を支持する支持孔を有して、該ディスプレイケースを保持しつつ、車両に取り付けられる取付部材と、（ｅ）所定長さを有し、長さ方向の一端部が、該取付部材に固定される固定端部とされる一方、その他端部が、自由端部とされ、且つ該自由端部に、前記円筒状回転軸を通じて前記ディスプレイケースの外部に導き出された前記ハーネスが挿通される挿通部が設けられた板ばね部材とを含み、該ディスプレイケースを、該円筒状回転軸回りに回動させることによって、前記ディスプレイ本体を起立せしめ得るように構成した車載用ディスプレイ装置であって、
前記取付部材の支持孔から外方に突出する前記円筒状回転軸の突出部分の外周面の軸方向中間部に、該円筒状回転軸の軸方向に対して交差する方向に広がる係合面を、該突出部分の先端側に向かって位置するように設ける一方、前記板ばね部材の自由端部の挿通部に対して、前記ディスプレイケースの外部に導き出されたハーネスと、該円筒状回転軸の突出部分の該係合面が形成される軸方向中間部よりも先端側の部位とを挿通させた状態下で、弾性変形せしめられた該板ばね部材の自由端部を、該円筒状回転軸の係合面に係合せしめて、該円筒状回転軸の突出部分の軸方向中間部に接触させたことを特徴とする車載用ディスプレイ装置。
【請求項２】
前記円筒状回転軸の突出部分の軸方向中間部の外周面に、該軸方向中間部よりも先端側の部分を、基部側の部分よりも小径化する段差面が、該円筒状回転軸の軸直角方向に広がるように設けられて、かかる段差面にて、前記係合面が構成されている請求項１に記載の車載用ディスプレイ装置。
【請求項３】
前記板ばね部材の自由端部の挿通部が、前記円筒状回転軸の突出部分の外周面の軸方向中間部に設けられた前記係合面に係合する二つの係合部を有すると共に、それら二つの係合部が、該板ばね部材の長さ方向と直角な方向において互いに離間して、その長さ方向に延出し、且つ該二つの係合部の先端部同士が非連結とされて成り、該二つの係合部の間に、前記ディスプレイケースの外部に導き出された前記ハーネスと該円筒状回転軸の突出部分の前記先端側の部位とが位置せしめられることによって、該ハーネスと該円筒状回転軸の突出部分の該先端側部位の、該挿通部への挿通状態が、実現されるようになっている請求項１又は請求項２に記載の車載用ディスプレイ装置。
【発明の詳細な説明】
【技術分野】
【０００１】
本発明は、車載用ディスプレイ装置に係り、特に、自動車等の車両に対して、インストルメントパネル等に取り付けられて、搭載される車載用ディスプレイ装置の改良された構造に関する。
【背景技術】
【０００２】
近年、車両、特に自動車等に対しての高級化や利便性の向上等の要望が高く、そこで、そのような要望を満たすために、テレビやカーナビゲーションのモニタ等の液晶ディスプレイ装置等の所謂車載用ディスプレイ装置が、搭載されるようになってきている。
【０００３】
ところで、かかる車載用ディスプレイ装置の一種として、モニタ画面を備えたディスプレイ本体が内部に収容されて、固定されるディスプレイケースと、車両に取り付けられる取付部材とを備え、ディスプレイケースに一体的に設けられた回転軸が、取付部材に支持されてなる構造を有し、取付部材が、ディスプレイケースを保持しつつ、自動車のインストルメントパネル等に取り付けられた状態下で、ディスプレイケースが回転軸回りに回動させられることによって、ディスプレイ本体が起立せしめられ得るように構成されたものが、知られている（例えば、下記特許文献１参照）。
【０００４】
このような構造を有する車載用ディスプレイ装置では、例えば、取付部材が、インストルメントパネルに設けられた凹部内に収容された状態で取り付けられることで、使用時に、ディスプレイ本体がインストルメントパネル上に起立せしめられて、モニタ画面が視認可能な状態とされる一方、使用しないときには、ディスプレイ本体が、横臥せしめられて、インストルメントパネルの凹部内に格納せしめられ得るようになっている。そうして、非使用時に、ディスプレイ本体が邪魔とならないように工夫されている。
【０００５】
ところが、かかる従来の車載用ディスプレイ装置の構造について、本発明者等が詳細に検討したところ、以下の如き問題が内在することが、明らかとなった。
【０００６】
すなわち、ディスプレイ本体が回動可能とされた従来の車載用ディスプレイ装置では、一般に、ディスプレイケースの回転軸が、ディスプレイケースの互いに対向する二つの側壁部のそれぞれに対して、円筒形状をもって、同軸上で外方に突出するように一体形成され、また、そのような二つの円筒状回転軸が、取付部材に対して、同軸上に位置するように穿設された二つの支持孔に、それぞれ挿通されている。これによって、ディスプレイケースが、取付部材に対して、円筒状回転軸回りに回転可能に支持されて、保持されている。そして、ディスプレイ本体から延びるリード線やそれらに取り付けられた各種の接続コネクタ等からなるハーネスが、ディスプレイケースの円筒状回転軸の内孔を挿通せしめられて、ディスプレイケースの外部に導き出されるようになっている。
【０００７】
また、かかる従来の車載用ディスプレイ装置にあっては、所定長さを有する二つの板ばねが、それぞれの長さ方向の一端部が自由端とされて、その他端部のみにおいて、取付部材の外面における二つの支持孔の周辺部分に、各々取り付けられている。そして、それら各板ばねは、弾性変形せしめられた状態下で、自由端部分が、各支持孔から外方に突出する円筒状回転軸の突出部分の先端面に接触位置せしめられている。これにより、各板ばねの弾性変形状態からの復元力に基づいて、二つの円筒状回転軸のそれぞれが、各板ばねの自由端部分にて、各支持孔からの突出方向とは反対側の方向（各支持孔内に引き込まれる方向）に押圧され、以て、それら二つの円筒状回転軸を一体的に有するディスプレイケース、更にはかかるディスプレイケースの内部に固定されるディスプレイ本体が、円筒状回転軸の軸方向への変位が規制されている。かくして、ディスプレイケースやディスプレイ本体が、回動可能とされる一方で、水平方向（左右方向）には動かないようになっているのである。
【０００８】
しかしながら、そのような従来の車載用ディスプレイ装置においては、円筒状回転軸の突出部分の先端面に接触位置せしめられる板ばねの自由端部分に、孔形態を呈する挿通部が設けられて、円筒状回転軸の内孔を通じて外部に導き出されるハーネスが、かかる挿通部を挿通せしめられるようになっている。そのため、板ばねの挿通部を挿通せしめられたハーネスが、その挿通部の内周縁部（内周のエッジ部分）に接触する可能性があり、そうなった場合には、ディスプレイケースの回動に伴って、ハーネスが、その中心軸回りに回転せしめられた際に、板ばねの挿通部の内周縁部と、それに接触するハーネスの接触部分との間で擦れが生じ、それによって、異音が生じたり、或いはそのようなハーネスの接触部が損傷したりする恐れがあったのである。
【０００９】
【特許文献１】特開平８−１１６３９号公報
【発明の開示】
【発明が解決しようとする課題】
【００１０】
ここにおいて、本発明は上述せる如き事情を背景にして為されたものであって、その解決課題とするところは、ディスプレイケースが円筒回転軸回りに回動可能とされた車載用ディスプレイ装置において、円筒状回転軸の内孔と、ディスプレイケースの軸方向への移動を規制する板ばね部材の挿通部とを通じて外部に導き出されたハーネスが、ディスプレイケースの回動時に、板ばね部材の挿通部の内周縁部と接触して、異音が生じたり、或いはそのうような挿通部の内周縁部に対するハーネスの接触部分が損傷したりすることが効果的に防止され得るように改良された構造を提供することにある。
【課題を解決するための手段】
【００１１】
そして、本発明にあっては、上記した課題、又は本明細書全体の記載や図面から把握される課題を解決するために、以下に列挙せる如き各種の態様において、好適に実施され得るものであるが、また、以下に記載の各態様は、任意の組み合わせにおいても、採用可能である。なお、本発明の態様乃至は技術的特徴は、以下に記載のものに何等限定されることなく、明細書全体の記載並びに図面に開示の発明思想に基づいて、認識され得るものであることが、理解されるべきである。
【００１２】
＜１＞  （ａ）ディスプレイ本体と、（ｂ）該ディスプレイ本体が内部に収容されて、固定されるディスプレイケースと、（ｃ）該ディスプレイケースに対して外方に突出するように一体的に設けられた円筒体からなり、前記ディスプレイ本体から延びるハーネスが挿通されて、該ハーネスを該ディスプレイケースの外部に導き出す円筒状回転軸と、（ｄ）該円筒状回転軸が挿通されて、該円筒状回転軸を支持する支持孔を有して、該ディスプレイケースを保持しつつ、車両に取り付けられる取付部材と、（ｅ）所定長さを有し、長さ方向の一端部が、該取付部材に固定される固定端部とされる一方、その他端部が、自由端部とされ、且つ該自由端部に、前記円筒状回転軸を通じて前記ディスプレイケースの外部に導き出された前記ハーネスが挿通される挿通部が設けられた板ばね部材とを含み、該ディスプレイケースを、該円筒状回転軸回りに回動させることによって、前記ディスプレイ本体を起立せしめ得るように構成した車載用ディスプレイ装置であって、前記取付部材の支持孔から外方に突出する前記円筒状回転軸の突出部分の外周面の軸方向中間部に、該円筒状回転軸の軸方向に対して交差する方向に広がる係合面を、該突出部分の先端側に向かって位置するように設ける一方、前記板ばね部材の自由端部の挿通部に対して、前記ディスプレイケースの外部に導き出されたハーネスと、該円筒状回転軸の突出部分の該係合面が形成される軸方向中間部よりも先端側の部位とを挿通させた状態下で、弾性変形せしめられた該板ばね部材の自由端部を、該円筒状回転軸の係合面に係合せしめて、該円筒状回転軸の突出部分の軸方向中間部に接触させたことを特徴とする車載用ディスプレイ装置。
【００１３】
＜２＞  前記円筒状回転軸の突出部分の軸方向中間部の外周面に、該軸方向中間部よりも先端側の部分を、基部側の部分よりも小径化する段差面が、該円筒状回転軸の軸直角方向に広がるように設けられて、かかる段差面にて、前記係合面が構成されている上記態様＜１＞に記載の車載用ディスプレイ装置。
【００１４】
＜３＞  前記板ばね部材の自由端部の挿通部が、前記円筒状回転軸の突出部分の外周面の軸方向中間部に設けられた前記係合面に係合する二つの係合部を有すると共に、それら二つの係合部が、該板ばね部材の長さ方向と直角な方向において互いに離間して、その長さ方向に延出し、且つ該二つの係合部の先端部同士が非連結とされて成り、該二つの係合部の間に、前記ディスプレイケースの外部に導き出された前記ハーネスと該円筒状回転軸の突出部分の前記先端側の部位とが位置せしめられることによって、該ハーネスと該円筒状回転軸の突出部分の該先端側部位の、該挿通部への挿通状態が、実現されるようになっている上記態様＜１＞又は＜２＞に記載の車載用ディスプレイ装置。
【発明の効果】
【００１５】
すなわち、本発明に従う車載用ディスプレイ装置においては、円筒状回転軸の支持孔からの突出部分の軸方向中間部よりも先端側の部位と、かかる円筒状回転軸の突出部分の先端開口部からディスプレイケースの外部に延び出すハーネスとが、板ばね部材の自由端部に設けられた挿通部に挿通せしめられて、かかる自由端部が、円筒状回転軸の突出部分の軸方向中間部の外周面に設けられた係合面に係合して、接触せしめられている。それ故、そのような板ばね部材の自由端部の挿通部の内周縁部に対して、円筒状回転軸の突出部分の軸方向中間部が接触せしめられることはあっても、円筒状回転軸の突出部分の先端開口部から延び出すハーネスが、板ばね部材の自由端部の挿通部の内周縁部に接触せしめられるようなことが、確実に回避され得る。
【００１６】
従って、本発明に係る車載用ディスプレイ装置にあっては、ディスプレイケースの回動に伴って、ハーネスが、その中心軸回りに回転せしめられた際に、板ばねの挿通部の内周縁部と、それに接触するハーネスの接触部分との間で擦れが生じ、それによって、異音が生じたり、或いはそのようなハーネスの接触部が損傷したりすることが、効果的に解消され得る。そして、その結果として、良好な使用状態が、より長期に亘って安定的に確保され得るのである。
【発明を実施するための最良の形態】
【００１７】
以下、本発明を更に具体的に明らかにするために、本発明に従う車載用ディスプレイ装置の構成について、図面を参照しつつ、詳細に説明することとする。
【００１８】
先ず、図１には、本発明に従う構造を有する車載用ディスプレイ装置の一実施形態として、自動車のインストルメントパネルに取り付けられるディスプレイ装置の正面形態が、また、図２には、その右側面形態が、更に、図３には、その縦断面形態が、それぞれ概略的に示されている。それらの図からも明らかなように、本実施形態のディスプレイ装置は、モニタ画面を備えた公知の構造を有するディスプレイ本体１０を内部に収容するディスプレイケース１２と、自動車のインストルメントパネル（図示せず）に取り付けられる取付部材としてのハウジング１４とを、有している。
【００１９】
より具体的には、ディスプレイケース１２は、高さの低い略四角筒形状を呈する筒部１６と、かかる筒部１６の軸方向一方側の開口部からなる窓部１８と、この窓部１８とは反対側の筒部１６の開口部を閉塞する閉塞部２０とを一体的に備えた、合成樹脂製の略矩形状の筐体にて、構成されている。また、このディスプレイケース１２における筒部１６の窓部１８側の端部の内周面には、筒部１６の軸方向と直角方向に所定高さで突出し且つ周方向に連続して延びる内フランジ形態を呈するフレーム部２２が、矩形の枠状形態をもって一体形成されている。そして、そのようなディスプレイケース１２内に、全体として矩形形状を呈するディスプレイ本体１０が、モニタ画面を窓部１８を通じて外部に露呈させるように収容位置せしめられ、その外周部において、フレーム部２２に固定されている。
【００２０】
かかるディスプレイケース１２にあっては、角筒状の筒部１６における四つの側壁部のうち、ディスプレイ本体１０を間に挟んで、ディスプレイ本体１０の幅方向（図１及び図３の左右方向で且つ図２の紙面に垂直な方向）において互いに対向位置する、略長手矩形の二つの側壁部が、それぞれ、左側壁部２４と右側壁部２５とされている。そして、それら左及び右側壁部２４，２５の長さ方向（図１及び図３の紙面に垂直な方向で且つ図２の左右方向）の一端側部位における幅方向（図１乃至図３の上下方向）の中央部には、各側壁部２４，２５の対向方向の外方に所定高さで突出する第一円筒状回転軸２６と第二円筒状回転軸２７とが、それぞれ、一体形成されている。
【００２１】
それら第一及び第二円筒状回転軸２６，２７は、高さが互いに異なるものの、内外径が互いに同一とされた円筒体からなり、左及び右側壁部２４，２５の各外面上に同軸的に位置せしめられている。そのような第一及び第二円筒状回転軸２６，２７のそれぞれの内孔２８を通じて、ディスプレイケース１２の内部空間が、外部に連通せしめられている。
【００２２】
そして、高さの高い第一円筒状回転軸２６には、その基部側に、平歯車からなる従動ギヤ２９が外挿されて、固定されている。また、高さの低い第二円筒状回転軸２７においては、その内孔２８内に、ディスプレイ本体１０から延び出すハーネス３０が、挿通せしめられている。即ち、ここでは、窓部１８を通じて外部に露呈されたモニタ画面側とは反対側のディスプレイ本体１０の背面に、ディスプレイ本体１０への給電や各種の電気信号の入力等を行うためのハーネス３０が接続されており、このハーネス３０が、ディスプレイケース１２の第二円筒状回転軸２７の内孔２８を通じて、外部に導き出されるようになっている。そして、かかるハーネス３０は、第二円筒状回転軸２７の内孔２８内への挿通部位よりも手前の部位（ディスプレイ本体１０への接続側の部位）において、ディスプレイ本体１０の背面に位置固定に取り付けられた筒状の固定スリーブ３２内に挿通、固定されており、以て、かかるディスプレイ本体１０の背面部位に対して、変位不能に固定されている。
【００２３】
一方、ハウジング１４は、横長矩形の底壁部３４と、かかる底壁部３４の長手方向において互いに対向位置せしめられた状態で、底壁部３４に立設された第一側壁部３６及び第二側壁部３７と、底壁部３４の短手方向において互いに対向位置せしめられた状態で、底壁部３４に立設された第三側壁部３８及び第四側壁部３９とを有し、全体として、上方に向かって開口する、合成樹脂製の矩形の筐体形態を呈している。そして、このハウジング１４の第三側壁部３８には、その上辺部を、第一及び第二側壁部３６，３７の近傍にまで達する幅と底壁部３４の近傍にまで達する深さとをもって切り欠いてなる切欠部４０が、形成されている。
【００２４】
また、このハウジング１４にあっては、第一側壁部３６と第二側壁部３７のそれぞれの対向面とは反対側の面の上端部における長さ方向の両側端部に、ボルト孔４２を有する取付板部４４が、それぞれ突設されている。そして、各ボルト孔４２に挿通された図示しない取付ボルトが、インストルメントパネル（図示せず）に固定されることで、ハウジング１４が、インストルメントパネルに対して位置固定に取り付けられるようになっている。
【００２５】
さらに、第一側壁部３６と第二側壁部３７のそれぞれの中央部には、第一円筒状支持部４６と第二円筒状支持部４７とが、外方に突出するように、それぞれ一体形成されている。それら第一及び第二円筒状支持部４６，４７は、ディスプレイケース１２の左及び右側壁部２４，２５にそれぞれ一体形成された第一及び第二円筒状回転軸２６，２７の外径よりも僅かに大きな内径と、それら各回転軸２６，２７の高さよりも十分に低い高さとを有する円筒体からなっている。また、かかる第一円筒状支持部４６の内孔が、第一側壁部３６の中央部を貫通して延びる円形の第一支持孔４８とされている一方、第二円筒状支持部４７の内孔が、第二側壁部３７の中央部を貫通して延びる円形の第二支持孔４９とされている。これによって、ハウジング１４の内側空間が、それら第一円筒状支持部４６の第一支持孔４８と、第二円筒状支持部４７の第二支持孔４９とを通じて、外部に連通せしめられている。
【００２６】
そして、そのようなハウジング１４内に、ディスプレイケース１２が、左及び右側壁部２４，２５の長さ方向における第一及び第二円筒状回転軸２６，２７の形成側の略半分の部分が位置するように収容されている。また、そのような状態下で、ハウジング１４の第一円筒状支持部４６と第二円筒状支持部４７とが、第一円筒状回転軸２６と第二円筒状回転軸２７とに対して、それぞれ外嵌されており、換言すれば、第一円筒状回転軸２６と第二円筒状回転軸２７とが、第一円筒状支持部４６の第一支持孔４８と第二円筒状支持部４７の第二支持孔４９とに対して、それぞれ挿通せしめられている。これによって、第一円筒状回転軸２６と第二円筒状回転軸２７とが、第一円筒状支持部４６（第一支持孔４８）と第二円筒状支持部４７（第二支持孔４９）とにて、回転可能に支持されている。以て、ディスプレイケース１２が、ハウジング１４に対して、第一及び第二円筒状回転軸２６，２７回りに回転乃至は回動可能に組み付けられている。
【００２７】
そして、ここでは、第一及び第二円筒状回転軸２６，２７が、第一及び第二円筒状支持部４６，４７の第一及び第二支持孔４８，４９に、それぞれ挿通せしめられた状態において、それら各円筒状回転軸２６，２７の先端部が、それら第一及び第二支持孔４８，４９を通じて、各円筒状支持部４６，４７の先端開口部から、ハウジング１４の外部に向かって、所定の長さだけ突出せしめられている。
【００２８】
また、そのようなディスプレイケース１２のハウジング１４への組付状態下において、第一円筒状支持部４６にて回転可能に支持された第一円筒状回転軸２６に外挿、固定される従動ギヤ２９が、ハウジング１４内の底壁部３４上に固定された、正逆回転可能なステッピングモータ５０の駆動軸に取り付けられる駆動ギヤ５２に噛合せしめられている。そして、図１及び図２に実線で示される如く、ステッピングモータ５０の駆動ギヤ５２が予め設定された基準回転位置に位置せしめられているときに、ディスプレイケース１２の第一及び第二円筒状回転軸２６，２７の形成側とは反対側の部分が、ハウジング１４の第三側壁部３８の切欠部４０を通じて外部に突出位置せしめられ、且つディスプレイ本体１０のモニタ画面が、下方に向けられた状態で、それらディスプレイケース１４とディスプレイ本体１０とが、水平方向に横臥せしめられるようになっている。
【００２９】
これによって、本実施形態のディスプレイ装置では、ステッピングモータ５０の駆動ギヤ５２が基準回転位置に位置せしめられた状態から、図示しないスイッチの操作にて、ステッピングモータ５０が回転駆動せしめられることにより、反時計回りの方向に所定角度だけ回転したときに、駆動ギヤ５２に噛合する従動ギヤ２９が時計回りの方向に９０°だけ回転せしめられ、以て、ディスプレイケース１２とディスプレイ本体１０とが、水平方向に横臥せしめられた状態から、図１及び図２に二点鎖線で示される如き鉛直方向に直立する起立状態とされるようになっている。そして、そのような起立状態から、スイッチ操作にて、ステッピングモータ５０が逆回転せしめられることにより、駆動ギヤ５２が時計回りの方向に所定角度だけ回転せしめられて、基準回転位置に再び位置せしめられたときに、従動ギヤ２９が反時計回りの方向に９０°だけ回転せしめられ、以て、ディスプレイケース１２とディスプレイ本体１０とが、再び、水平方向に横臥せしめられるようになっている。
【００３０】
かくして、かかるディスプレイ装置においては、例えば、ハウジング１４が、図示しないインストルメントパネルに対して、そこに設けられた凹部内に収容、位置せしめられように取り付けられて、自動車に搭載されることによって、非使用時には、ディスプレイケース１２とディスプレイ本体１０とが横臥状態とされて、それらが邪魔とならないように、インストルメントパネルの凹部内に格納されるようになり、その一方、使用時には、ステッピングモータ５０が回転駆動せしめられて、ディスプレイケース１２とディスプレイ本体１０とが起立状態とされて、ディスプレイ本体１０のモニタ画面が、乗員にて視認され得るようになっている。
【００３１】
また、このようなディスプレイケース１２のハウジング１４への組付状態下では、第二円筒状回転軸２７の内孔２８内に挿通せしめられたディスプレイ本体１０のハーネス３０が、第二円筒状支持部４７の先端開口部からハウジング１４の外部に向かって突出せしめられた第二円筒状回転軸２７の突出部５３の先端開口部を通じて、ハウジング１４の外部に導き出されている。更に、このハウジング１４外に導き出されたハーネス３０は、ハウジング１４の第二側壁部３７の外面（第一側壁部３６との対向面とは反対側の面）に位置固定に取り付けられた固定スリーブ５４内に挿通されて、固定されることにより、かかる第二側壁部３７に対して、変位不能に固定されている。
【００３２】
そして、本発明のディスプレイ装置にあっては、特に、ディスプレイケース１２が、ハウジング１４に対して、第一及び第二円筒状回転軸２６，２７回りに回転乃至は回動可能に組み付けられた状態下で、かかるディスプレイケース１２の第一及び第二円筒状回転軸２６，２７に平行な水平方向での変位を規制するための構造が、付与されている。
【００３３】
すなわち、図３に示されるように、ディスプレイケース１２の左側壁部２４に突設された第一円筒状回転軸２６の軸方向中間部には、径方向外方に突出し且つ周方向の全周に連続して延びる、円環板状の外フランジ部５６が一体的に設けられている。そして、この外フランジ部５６が、第一円筒状回転軸２６の先端側に向かって位置する、厚さ方向一方側の面において、ハウジング１４の第一側壁部３６の内面に接触した状態で、第一円筒状回転軸２６が、第一側壁部３６に設けられた第一円筒状支持部４６の第一支持孔４８に挿通せしめられている。これによって、かかる第一円筒状回転軸２６の第一支持孔４８への挿通状態下で、第一円筒状回転軸２６に平行な水平方向のうち、第一円筒状回転軸２６の第一支持孔４８への挿通方向、つまり第一円筒状支持部４６の先端開口部からの第一円筒状回転軸２６の突出方向（図３中の左方向）へのディスプレイケース１２の変位が規制されるようになっている。
【００３４】
また、図３及び図４に示されるように、ディスプレイケース１２の右側側壁部２５に突設された第二円筒状回転軸２７においては、第二円筒状支持部４７からの突出部５３の外周面の軸方向中間部に、円環板状の段差面６０が設けられて、かかる突出部５３の段差面６０よりも先端側の部分が、段差面６０よりも基部側の部分に比して、所定寸法だけ小径化された小径部６２とされている一方、その基部側部分が、大径部６４とされている。この第二円筒状回転軸２７の突出部５３を段付けする段差面６０は、第二円筒状回転軸２７の軸方向に対して直角に交差する方向に広がって、かかる突出部５３の先端側に向かって位置せしめられている。そして、そのような第二円筒状回転軸２７の突出部５３の段差面６０に対して、板ばね部材６６が、係合せしめられている。
【００３５】
この板ばね部材６６は、図２及び図５から明らかなように、全体として、略長手矩形状を呈し、一般的なばね鋼製の薄肉平板材からなっている。そして、かかる板ばね部材６６の長さ方向の一端側部分が、ねじ部材を挿通可能な貫通孔６７を有する、矩形の固定部６８とされている一方、その長さ方向の他端側部分部が、円形の中心孔６９を備えた円環板形状を呈するリング状挿通部７０とされている。更に、長さ方向の中間部が、固定部６８とリング状挿通部７０とを連結する、固定部６８よりも幅の狭い長手矩形状の連結部７２とされている。そして、この連結部７２が撓まされることによって、板ばね部材６６が、弾性変形せしめられるようになっている。また、ここでは、板ばね部材６６のリング状挿通部７０の中心孔６９の内径が、第二円筒状回転軸２７の突出部５３における小径部６２の外径よりも所定寸法大きくされ、且つリング状係合部７０の外径が、かかる突出部５３における大径部６４の外径よりも所定寸法だけ大きくされている。
【００３６】
そして、図４及び図５に示される如く、そのような板ばね部材６６の固定部６８の貫通孔６７に挿通されたねじ部材７４が、ハウジング１４の第二側壁部３７の外面に一体形成されたボス部７６に螺入されて、ねじ止めされている。これにより、板ばね部材６６が、固定部６８のみにおいて、ハウジング１４に固定されていると共に、かかる固定部６８とは長さ方向の反対側の端部からなるリング状挿通部７０が、ハウジング１４に固定されることなく、自由端とされている。
【００３７】
また、そのような自由端とされたリング状挿通部７０の中心孔６９に対して、第二円筒状回転軸２７の突出部５３の先端開口部から外部に導き出されたハーネス３０と、かかる突出部５３の先端側部分たる小径部６２とが、それぞれ挿通せしめられている。更に、かかる挿通状態下で、第二円筒状回転軸２７の突出部５３の外周面の軸方向中間部に設けられた段差面６０に対して、リング状挿通部７０が接触して、係合せしめられている。そして、ここでは、板ばね部材６６の固定部６８が固定されるボス部７６の先端面の、第二側壁部３７の外面からの高さ：ｈ1 よりも、板ばね部材６６のリング状挿通部７０が係合せしめられる第二円筒状回転軸２７の突出部５３の段差面６０の、第二側壁部３７の外面からの高さ：ｈ2 が、所定寸法高くされている。それによって、リング状挿通部７０が、固定部６８よりも高い位置に位置するように、連結部７２が撓まされて、板ばね部材６６が弾性変形せしめられている。このことから明らかなように、ここでは、段差面６０にて、係合面が構成されている。
【００３８】
かくして、板ばね部材６６の弾性変形状からの復元力に基づく押圧力が、板ばね部材６６のリング状挿通部７０から第二円筒状回転軸２７の突出部５３の段差面６０に対して、て、第二円筒状回転軸２７の突出部５３の第二円筒状支持部４７（第二支持孔４９）からの突出方向とは反対側方向（図３乃至図５中の左方向）に作用せしめられるようになっている。また、それによって、第二円筒状回転軸２７の第二支持孔４９への挿通状態下で、第二円筒状回転軸２７に平行な水平方向のうち、第二円筒状回転軸２７の第二支持孔４９への挿通方向、つまり第二円筒状支持部４７の先端開口部からの第二円筒状回転軸２７の突出方向（図３乃至図５中の右方向）へのディスプレイケース１２の変位が規制されるようになっている。その結果、ディスプレイケース１２が、第一及び第二円筒状回転軸２６，２７回りの回転は許容されるものの、水平方向の両側には動かされないように構成されているのである。
【００３９】
そして、本実施形態のディスプレイ装置においては、特に、板ばね部材６６のリング状挿通部７０の中心孔６９の内周面が、全周に亘って、第二円筒状回転軸２７の突出部５３における小径部６２の段差面６０側（基部側）の外周面に対して、接触乃至は非接触下で対向位置せしめられており、かかる突出部５３の先端開口部を通じてディスプレイケース１２の外部に導き出されたハーネス３０とは接触しないようになっている。
【００４０】
従って、本実施形態に係るディスプレイ装置にあっては、ディスプレイケース１２の第一及び第二円筒状回転軸２６，２７回りの回転による起立乃至横臥に伴って、ハーネス３０が、その中心軸回りに回転せしめられたときに、第二円筒状回転軸２７の突出部５３の先端開口部から導き出されるハーネス３０が、板ばね部材６６のリング状挿通部７０の中心孔６９の内周面との接触して、擦れが生ずること、更には、そのような擦れにより、異音が生じたり、ハーネス３０が傷付いたりすることが、未然に防止され得る。そして、その結果として、良好な使用状態が、より長期に亘って安定的に確保され得るのである。
【００４１】
また、本実施形態では、第二円筒状回転軸２７の突出部５３を段付けするように、その軸方向中間部に設けられた段差面６０に対して、板ばね部材６６のリング状挿通部７０が係合せしめられて、かかるリング状挿通部７０の中心孔６９の内周面とハーネス３０との接触が回避されるようになっている。それ故、それらリング状挿通部７０の中心孔６９の内周面とハーネス３０との接触を回避しつつ、板ばね部材６６のリング状挿通部７０が係合する係合部として機能する部分が、第二円筒状回転軸２７の突出部５３に対して、ひいてはディスプレイケース１２に対して、十分に簡略な構造において、容易に形成され得ている。
【００４２】
以上、本発明の具体的な構成について詳述してきたが、これはあくまでも例示に過ぎないものであって、本発明は、上記の記載によって、何等の制約をも受けるものではない。
【００４３】
例えば、前記実施形態では、第一円筒状回転軸２６に一体形成された外フランジ部５６が、ハウジング１４の第一側壁部３６に接触せしめられることで、第一円筒状回転軸２６の第一円筒状支持部４６からの突出方向へのディスプレイケース１０の変位が規制されるようになっていた。然るに、第一円筒状回転軸２６の外フランジ部５６を省略して、第二円筒状回転軸２７と同様に、第一円筒状回転軸２６の第一円筒状支持部４６からの突出部分に段差面を設けると共に、この段差面に、板ばね部材６６とは別個の板ばね部材を弾性変形状態下で係合させるようにしても良い。そうして、第一円筒状回転軸２６の第一円筒状支持部４６からの突出方向へのディスプレイケース１０の変位規制を、第二円筒状回転軸２７の第二円筒状支持部４７からの突出方向へのディスプレイケース１０の変位規制と同様に、第一円筒状回転軸２６の段差面に係合せしめられた板ばね部材の弾性変形状からの復元力に基づいて行うように為すことも、可能である。
【００４４】
また、板ばね部材６６の具体的な構造も、前記実施形態に示されるものに、何等限定されるものではない。例えば、ハウジング１４に固定される側とは反対側において自由端とされて、第一円筒状回転軸２７の段差面６０に係合される挿通部が、前記実施形態とは異なる、図６に示される如き構造とされていても良い。なお、この図６に示される実施形態に関しては、前記第一の実施形態と同様な構造とされた部材及び部位について、図１乃至図５と同一の符号を付すことにより、その詳細な説明は省略した。
【００４５】
すなわち、図６に示される板ばね部材７８においては、挿通部８０が、板ばね部材７８の長さ方向と直角な方向において互いに離間して、その長さ方向に延びる二つの係合部８２，８２を有している。そして、それら二つの係合部８２，８２は、連結部７２側の基端部同士が相互に連結されるものの、先端部同士が非連結とされており、全体として、Ｕ字形状とされている。このような板ばね部材７８にあっては、固定部６８において、ハウジング１４に固定される一方、二つの係合部８２，８２の間に、第二円筒状回転軸２７の突出部５３と、かかる突出部５３の先端開口部からディスプレイケース１０の外部に導き出されたハーネス３０とが位置せしめられることによって、それら第二円筒状回転軸２７の突出部５３とハーネス３０とが、挿通部８０に挿通されるようになっている。また、かかる状態下で、二つの係合部８２，８２が、第二円筒状回転軸２７の突出部５８に設けられた段差面６０に係合せしめられる。
【００４６】
このような構造を有する板ばね部材７８を用いれば、第二円筒状回転軸２７の突出部５３とハーネス３０とを、挿通部８０に対して、二つの係合部８２，８２の先端開口を通じて、第二円筒状回転軸２７の軸直角方向から挿通させることが出来る。それによって、例えば、挿通部がリング形状とされる場合に比して、特に、長尺なハーネス３０の挿通部８０への挿通が、極めて容易となる。
【００４７】
なお、上記の如く、先端部同士が非連結とされた二つの係合部８２，８２を有する挿通部８０の全体形状は、例示されたＵ字形状の他、円弧形状やＶ字形状等、所謂二股形状を呈するものであれば良い。
【００４８】
また、板ばね部材６６，７８の全体形状や、ハウジング１４への固定構造等も、例示のものに、何等限定されるものでないことは、言うまでもないところである。
【００４９】
さらに、板ばね部材の挿通部が係合せしめられる係合面も、例示された第二円筒状回転軸２７の突出部５８の段差面６０に、特に限定されるものではなく、円筒状回転軸の支持孔から突出する部分の外周面の軸方向中間部に、円筒状回転軸の軸方向に対して交差する方向に広がって、突出部分の先端側に向かって位置するように設けられるものであれば良い。
【００５０】
従って、例えば、かかる突出部分の外周面の軸方向の中間部に、周方向に延びる凹溝や凸部、突条等を、それぞれ一つ又は複数形成して、円筒状回転軸の軸方向に対向する、それら凹溝、凸部、突条の各側面のうち、円筒状回転軸の基端部側に位置する側面にて、係合面を形成することも可能である。
【００５１】
また、ディスプレイケース１２を各円筒状回転軸２６回りに回動乃至は回転させる構造は、例示の構造に決して限定されるものではなく、公知の構造が適宜に採用され得る。
【００５２】
加えて、前記実施形態では、本発明を、自動車のインストルメントパネルに取り付けられるディスプレイ装置に適用したものの具体例を示したが、本発明は、その他、自動車のインストルメントパネル以外の部分、或いは自動車以外の車両に取り付けられる車載用ディスプレイ装置の何れに対しても、それぞれ有利に適用されるものであることは、勿論である。
【００５３】
以上、本発明の具体的な構成について詳述してきたが、これはあくまでも例示に過ぎないのであって、本発明は、各種の形態において実施され得るものである。従って、当業者の知識に基づいて採用される本発明についての種々なる変更、修正、改良に係る各種の実施の形態が、何れも、本発明の趣旨を逸脱しない限りにおいて、本発明の範疇に属するものであることが、理解されるべきである。
【図面の簡単な説明】
【００５４】
【図１】本発明に従う構造を有する車載用ディスプレイ装置の一実施形態を示す正面説明図である。
【図２】図１に示された車載用ディスプレイ装置の右側面説明図である。
【図３】図２におけるIII−III断面説明図である。
【図４】図３の部分拡大説明図である。
【図５】図４におけるＶ−Ｖ断面説明図である。
【図６】本発明に従う構造を有する車載用ディスプレイ装置の別の実施形態を示す図２に対応する図である。
【符号の説明】
【００５５】
１０  ディスプレイ本体                １２  ディスプレイケース
１４  ハウジング                      ２６  第一円筒状回転軸
２７  第二円筒状回転軸                ３０  ハーネス
４６  第一円筒状支持部                ４７  第二円筒状支持部
４８  第一支持孔                      ４９  第二支持孔
５３  突出部                          ６０  段差面
６６，７８  板ばね部材                ７０  リング状挿通部
８０  挿通部                          ８２  係合部
【図１】
2010052631.tif 000003
【図２】
2010052631.tif 000004
【図３】
2010052631.tif 000005
【図４】
2010052631.tif 000006
【図５】
2010052631.tif 000007
【図６】
2010052631.tif 000008